(57)【要約】【課題】蒸発燃料が放電電極等に付着して液化し、外方に染み出して臭気となるのを防止できる石油燃焼器具を提供する。【解決手段】  芯案内内筒２と芯案内外筒３とから成る芯案内筒１内に燃芯４を備え、芯案内筒２上部の火皿部５上に燃焼筒８を載置し、燃芯４上端に最上昇の点火位置で火皿部５より下方となる凹部１２を形成し、更に凹部１２に燃芯４と共に上下動する対極板１４の対極部１７を位置させ、凹部１２と対向する芯案内外筒３に設けた窓部１８から放電電極２１を突出させた石油燃焼器具に於いて、窓部１８の下に通気孔２５を形成したので、空気が窓部１８の下部に形成された通気孔２５に向かって流れ、通気孔２５を通過した空気は、火皿部５の下部と対極板１４との間の隙間を上昇して放電電極２１を通過して、放電電極２１よりも下方の空間に発生する蒸発燃料が放電電極２１等に付着して液化し、外方に染み出して臭気となるのを防止できる。【選択図】図１
2020060306.tif 000002
【特許請求の範囲】
【請求項１】
芯案内内筒と芯案内外筒とから成る芯案内筒内に昇降自在の燃芯を備え、更に芯案内筒上部の火皿部上には燃焼筒を載置し、前記燃芯上端には、点火位置で火皿部より下方となるように凹部を形成し、更にこの凹部には燃芯と共に上下動する対極板の対極部を位置させ、該凹部と対向する芯案内外筒には窓部を設け、この窓部から放電電極を突出させた石油燃焼器具に於いて、前記芯案内外筒の窓部の下に通気孔を形成したことを特徴とする石油燃焼器具。
【請求項２】
前記芯案内外筒は、上部に拡径部を形成し、更に該拡径部の上部にフランジ部を形成し、前記火皿部の下部を前記拡径部に圧入することにより芯案内外筒に火皿部を組み付け、前記窓部を火皿部下部に形成すると共に、前記通気孔を前記火皿部下部とフランジ部とにより形成される空間に連通して設けたことを特徴とする請求項１記載の石油燃焼器具。
【発明の詳細な説明】
【技術分野】
【０００１】
本発明は、電子点火と言われる放電点火装置を有した石油ストーブ等の石油燃焼器具に関するものである。
【背景技術】
【０００２】
従来この種のものでは、芯案内外筒の火皿部下方に窓部を設け、この窓部に外方から支持金具に支持されて放電電極が位置するもので、前記火皿部には窓部に連続する切り欠き部を形成し、放電電極の碍子部の底部或いは支持金具の上面のどちらか一方に突部を設け、更にこの突部近傍の支持金具に開口部を形成し、外方から放電電極に向かう空気の流れを形成したもので、これにより、蒸発燃料が放電電極や碍子部先端に付着して液化することなく、外方に染み出して臭気となるのを防止していた。（例えば、特許文献１参照）
【先行技術文献】
【特許文献】
【０００３】
【特許文献１】特開２００２−３１３４１号公報
【発明の概要】
【発明が解決しようとする課題】
【０００４】
ところでこの従来のものは、金属製の放電電極の先端部分周辺の蒸発燃料を外方から放電電極に向かう空気の流れにより、放電電極や碍子部先端に付着して液化するのを防止していたが、蒸発燃料は放電電極周辺よりも下方の空間にも発生し、この放電電極周辺よりも下方の空間に発生する蒸発燃料は、放電電極の先端部分周辺の蒸発燃料に比べて温度が低くて重いため、上記の放電電極の先端部分周辺に外方から向かう空気の流れで引き寄せて取り除くことができず、この放電電極周辺よりも下方の空間に発生する蒸発燃料が滞留して放電電極の碍子部等に付着して液化し、外方に染み出して臭気となる問題があった。
【課題を解決するための手段】
【０００５】
本発明は上記課題を解決するために、請求項１では、芯案内内筒と芯案内外筒とから成る芯案内筒内に昇降自在の燃芯を備え、更に芯案内筒上部の火皿部上には燃焼筒を載置し、前記燃芯上端には、点火位置で火皿部より下方となるように凹部を形成し、更にこの凹部には燃芯と共に上下動する対極板の対極部を位置させ、該凹部と対向する芯案内外筒には窓部を設け、この窓部から放電電極を突出させた石油燃焼器具に於いて、前記芯案内外筒の窓部の下に通気孔を形成したものである。
【０００６】
また、請求項２では、前記請求項１に於いて、前記芯案内外筒は、上部に拡径部を形成し、更に該拡径部の上部にフランジ部を形成し、前記火皿部の下部を前記拡径部に圧入することにより芯案内外筒に火皿部を組み付け、前記窓部を火皿部下部に形成すると共に、前記通気孔を前記火皿部下部とフランジ部とにより形成される空間に連通して設けたものである。
【発明の効果】
【０００７】
この発明の請求項１によれば、前記芯案内外筒の窓部の下に通気孔を形成したので、空気が火皿部の窓部下部に形成された通気孔に向かって流れ、通気孔を通過した空気は、火皿部の下部と対極板との間の隙間を上昇して放電電極を通過し、これにより、放電電極周辺よりも下方の空間に発生する滞留する蒸発燃料が、通気孔より上昇する空気により滞留せず、蒸発燃料が放電電極の碍子部等に付着して液化し、外方に染み出して臭気となるのを防止できるものである。
【０００８】
また、請求項２によれば、前記芯案内外筒は、上部に拡径部を形成し、更に該拡径部の上部にフランジ部を形成し、前記火皿部の下部を前記拡径部に圧入することにより芯案内外筒に火皿部を組み付け、前記窓部を火皿部下部に形成すると共に、前記通気孔を前記火皿部下部とフランジ部とにより形成される空間に連通して設けたので、芯案内内筒と芯案内外筒との間の空間に発生した蒸発燃料が、通気孔を通過してもフランジ部に邪魔されて直接芯案内外筒の外周の空間に流れず、臭気となるのを防止できるものである。
【図面の簡単な説明】
【０００９】
【図１】この発明の一実施形態を付した石油燃焼器具の要部断面図。
【図２】同平面図。
【図３】同放電電極周辺の要部拡大図。
【図４】同要部断面図。
【図５】同燃芯の斜視図。
【図６】同対極板の正面図。
【発明を実施するための形態】
【００１０】
次に、本発明に係る発明の一実施形態を図面に基づいて説明する。
１は芯案内内筒２と芯案内外筒３から構成された芯案内筒で、内方には昇降自在の燃芯４を備えたものである。
５は火皿部で、上部に環状部６を形成し、該環状部６内周から下方に向かって筒部７を形成したもので、前記筒部７を前記芯案内外筒３の上部内周に圧入したものである。
８は複筒式の燃焼筒で、内筒９及び中筒１０及び外筒１１からなり、火皿部５の更環状部６には前記内筒９が載置され、前記芯案内内筒２の上面には前記内筒９が載置されている。
【００１１】
１２は燃芯４上端に形成された凹部で、燃芯４の点火位置である最上昇位置でも火皿部５より低い位置となるように形成されており、この凹部１２には芯止バンド１３に一端を固定した対極板１４の先端部が芯案内外筒３側から位置している。
【００１２】
前記対極板１４は、燃芯４外周に沿って全体にＲ状に形成され、下部には芯止バンド１３に固定する為の引掛け片１５と折り曲げ片１６とを有し、上部には燃芯４外周方向から凹部１２内に向かうように屈曲した対極部１７が形成されている。
【００１３】
１８は燃芯４の点火位置である最上昇位置で、凹部１２と対向する火皿部５下部に形成された開口から成る窓部で、この窓部１８を介して碍子部１９が固定金具２０で固定された放電電極２１が凹部１２に対向して位置され、対極板１４の対極部１７とは凹部１２の燃芯４上で接近している。
【００１４】
２２は芯案内外筒３の火皿部５外周に備えられた案内筒リングで、燃焼筒８の外筒１１下端との間には空気流通用の隙間ａを形成している。
【００１５】
前記芯案内外筒３は、上部を拡径して拡径部２３を形成し、更に該拡径部２３の上部をプレス加工してフランジ部２４を形成しているものである。
そして前記火皿部５の下部の筒部７を、前記芯案内外筒３の拡径部２３の内周部分に圧入した後、前記拡径部２３と拡径部２３の内周部分に圧入された前記火皿部５の下部の筒部７とを複数個所スポット溶接することにより、芯案内外筒３に火皿部５が組み付けられているものである。
【００１６】
又、前記火皿部５の下部の筒部７と、燃芯４外周に沿って全体にＲ状に形成された前記対極板１４との間には隙間ｂを形成しているが、これは燃焼の累計時間が長くなるにつれ、燃油内の成分が燃芯に付着して燃芯４が太くなっても、燃芯４がスムーズに上下するために形成されているものである。
【００１７】
２５は通気孔で、火皿部５下部に形成された窓部１８と、その下方の拡径部２３と火皿部５下部との圧入部分との間に形成されたもので、放電電極２１の真下に位置するもので、前記火皿部５下部の筒部７とフランジ部２４とにより形成される空間に連通して設けたものである。
【００１８】
次にこの発明一実施例の作動について説明する。
今、燃芯４を上昇させ点火位置である最上昇位置まで上昇させれば、凹部１２は放電電極２１が突出している窓部１８に対極板１４と共に位置することになる。
【００１９】
そしてここで点火スイッチ（図示せず）を押圧して放電電極２１に一定時間通電するようにすれば、該放電電極２１から対極板１４の対極部１７に向かって放電が行われ、この放電で凹部１２上端の燃芯４部分に火が付き、これが燃芯４上端全周に周り、点火が行われるものであり、又燃芯４上端が火皿部５上の範囲では自由に火力の調節が行えるものである。
【００２０】
この時、前記火皿部５の下部の筒部７と、芯案内外筒３の拡径部２３のフランジ部２４との空間から、空気が火皿部５の窓部１８下部に形成された通気孔２５に向かって流れ、該通気孔２５を通過した空気は、火皿部５の下部の筒部７と対極板１４との間の隙間ｂを上昇し、放電電極２１を通過していくものである。
【００２１】
これにより、放電電極周辺２１よりも下方の空間に空気が流入して上昇するので、放電電極２１周辺よりも下方の空間に発生する滞留する蒸発燃料が、通気孔２５より上昇する空気により滞留せず、蒸発燃料が放電電極２１の碍子部１９等に付着して液化し、外方に染み出して臭気となるのを防止できるものである。
【００２２】
又、前記通気孔２５を火皿部５下部に形成された窓部１８と、その下方の拡径部２３と火皿部５下部との圧入部分との間に形成したので、通気孔２５が前記火皿部５下部の筒部７とフランジ部２４とにより形成される空間に連通し、それにより芯案内内筒２と芯案内外筒３との間の空間に発生した蒸発燃料が、通気孔２５を通過してもフランジ部２４に邪魔されて直接芯案内外筒３の外周の空間に流れず、臭気となるのを防止できるものである。
【符号の説明】
【００２３】
１  芯案内筒
２  芯案内内筒
３  芯案内外筒
４  燃芯
５  火皿部
８  燃焼筒
１２  凹部
１４  対極板
１７  対極部
１８  窓部
２１  放電電極
２５  通気孔
【図１】
2020060306.tif 000003
【図２】
2020060306.tif 000004
【図３】
2020060306.tif 000005
【図４】
2020060306.tif 000006
【図５】
2020060306.tif 000007
【図６】
2020060306.tif 000008